(57)【要約】【課題】  ユーザの希望通りに、２Ｄ画像から３Ｄ静止画や３Ｄ動画に、または３Ｄ画像から２Ｄ静止画や２Ｄ動画に変換して、簡単に画像データを取り出すことができるようにする。【解決手段】  スイッチ１１は、出力画像の形態情報である出力選択情報に基づいて、入力された３Ｄ動画データを画像変換手段１２に出力するか、エンコーダ１４に出力するか、或いは出力をＯＦＦにするかを切り換える。画像変換手段１２は、入力フォーマット情報及び出力フォーマット情報に基づいて、３Ｄ動画データを２Ｄ動画データに変換する。静止画キャプチャ手段１３は、出力フォーマット情報に基づいて、画像変換手段１２により変換された２Ｄ動画や無変換の３Ｄ動画から静止画をキャプチャしエンコーダ１４に出力する。エンコーダ１４は、キャプチャされた静止画を符号化し、多重化手段１６は、情報作成手段１５で作成されたヘッダ情報等の情報と画像データを多重化する。【選択図】  図１
2005184377.tif 000002
【特許請求の範囲】
【請求項１】
入力された画像データの形態情報と出力すべき画像データの形態情報に基づいて２次元又は３次元画像を３次元又は２次元画像に変換する画像変換手段と、
前記出力画像形態情報に基づいて、入力画像データを前記変換手段に出力するか、そのまま変換せずに出力するかを切り換える切換手段と、
を備えたことを特徴とする画像変換装置。
【請求項２】
前記入力画像形態情報を含む情報を作成する情報作成手段と、
前記情報作成手段で作成した情報と前記出力画像データを多重化する多重化手段と、
を備えたことを特徴とする請求項１記載の画像変換装置。
【請求項３】
前記出力画像形態情報を含む情報を作成する情報作成手段と、
前記情報作成手段で作成した情報と前記出力画像データを多重化する多重化手段と、
を備えたことを特徴とする請求項１記載の画像変換装置。
【請求項４】
前記多重化手段は、前記情報作成手段により作成した情報をヘッダ部に書き込むことを特徴とする請求項２又は３に記載の画像変換装置。
【請求項５】
請求項１〜４のいずれかに記載の画像変換装置から出力した画像を記録媒体に記録することを特徴とする画像記録装置。
【発明の詳細な説明】
【技術分野】
【０００１】
本発明は、３次元（３Ｄ）或いは２次元（２Ｄ）の静止画や動画から２次元（２Ｄ）或いは３次元（３Ｄ）の静止画や動画に変換できる画像変換装置及びそれを用いた画像記録装置に関するものである。
【背景技術】
【０００２】
従来、３次元画像を表示する様々な方法が提案されてきた。その中でも一般的に用いられているのは両眼視差を利用する「２眼式」と呼ばれるものである。すなわち、両眼視差を持った左眼用画像と右眼用画像を用意し、それぞれ独立に左右の眼に投影することにより立体視を行う。
【０００３】
図１６は、この２眼式の代表的な方式の１つである「時分割方式」を説明するための概念図である。この時分割方式は、図１６のように、左眼用画像と右眼用画像が垂直方向１画素おきに交互にならんだ形に配置され、左眼用画像の表示と右眼用画像の表示が交互に切替えて表示されるものである。左眼用画像および右眼用画像は通常の２次元表示時に比べて垂直解像度が１／２になっている。観察者はディスプレイの切り替え周期に同期して開閉するシャッタ式のメガネを着用する。ここで使用するシャッタは、左眼用画像が表示されている時は左眼側が開いて右眼側が閉じ、右眼用画像が表示されている時は左眼側が閉じて右眼側が開く。こうすることで、左眼用画像は左眼だけで、右眼用画像は右眼だけで観察されることになり、立体視を行うことができる。
【０００４】
図１７は、２眼式のもう１つの代表的な方式である「パララクスバリア方式」を説明するための概念図である。図１７（ａ）は、視差が生じる原理を示す図である。一方、図１７（ｂ）は、パララクスバリア方式で表示される画面を示す図である。
【０００５】
図１７（ａ）では、図１７（ｂ）に示すような左眼用画像と右眼用画像が水平方向１画素おきに交互にならんだ形に配置された画像を、画像表示パネル４０１に表示し、同一視点の画素の間隔よりも狭い間隔でスリットを持つパララクスバリア４０２を画像表示パネル４０１の前面に置くことにより、左眼用画像は左眼４０３だけで、右眼用画像は右眼４０４だけで観察することになり、立体視を行うことができる。
【０００６】
ところで、パララクスバリア方式と同様に図１７（ｂ）に示すような画像を３次元表示する方式に、「レンチキュラ方式」がある。このレンチキュラ方式で用いるための記録データ形式の一例が、後述する特許公報１において開示されている。
【０００７】
図１８は、このようなパララクスバリア方式やレンチキュラ方式の記録データ形式の一例を示す概念図である。図１８（ａ）に示す左眼用画像５０１と図１８（ｂ）に示す右眼用画像５０２から、それぞれを水平方向に１／２に間引きして図１８（ｃ）に示す１枚の混合画像５０３を作って記録する。再生時にはこの混合画像５０３を並べ替えることにより図１７（ｂ）に示したような合成画像が作成される。
上記記載は２視点からの画像を結合して３Ｄ画像を形成する方法であるが、多視点からの画像形成も当然考えられる。この場合は、各視点から見た画像を一定の規則に基づいて配置する。
【０００８】
さて、２Ｄ画像あるいは３Ｄ画像から２Ｄ画像あるいは３Ｄ画像を取り出す装置が考えられている。この場合、動画、静止画を問わない。例えば、以下に示すような特許文献がある。
【０００９】
特許文献２には、２Ｄ動画を２Ｄ静止画としてキャプチャしてメモリアダプタに記録するビデオカメラが開示されている。また、特許文献３には、３Ｄ画像の左右いずれかの画像を用いて２Ｄ画像に変換し、２Ｄ表示する例が開示されている。また、特許文献４には、２Ｄ画像を用いて視差を有するように左右の画像を形成して３Ｄ画像に変換し、３Ｄ表示する例が開示されている。
【特許文献１】特開平１１−４１６２７号公報
【特許文献２】特開平８−２７５０９８号公報
【特許文献３】特開平９−１６４２５３号公報
【特許文献４】特開２０００−２２８７７８号公報
【発明の開示】
【発明が解決しようとする課題】
【００１０】
しかしながら、特許文献２の発明では、２Ｄ動画を撮影しながら２Ｄ画像をキャプチャするビデオカメラを３Ｄ動画に適用した場合、３Ｄ静止画がキャプチャされるため、２Ｄ静止画のキャプチャが不可能である。また、特許文献２の発明を２Ｄ動画に適用した場合は、２Ｄ静止画がキャプチャされるため、３Ｄ静止画のキャプチャが不可能である。
【００１１】
そこで、３Ｄ画像（または２Ｄ画像）から２Ｄ画像（または３Ｄ画像）をキャプチャするには、特許文献３、４のように、キャプチャした３Ｄ（又は２Ｄ）画像を２Ｄ（又は３Ｄ）画像に変換することが考えられる。しかし、これでは一定の固定したフォーマットで画像変換することになり、ユーザの希望通りの画像変換ができない問題があった。
【００１２】
また、従来の画像変換では、変換前の画像の形態情報と変換出力された画像の形態情報が不明であるため、変換後の画像に対してさらに変換処理するなどの処理を行う場合、適切な処理ができないという問題があった。
【００１３】
本発明は、斯かる実情に鑑み、ユーザの希望通りに２Ｄ／３Ｄ画像から３Ｄ／２Ｄ静止画や３Ｄ／２Ｄ動画に変換して、簡単に画像データを取り出すことができる画像変換装置及びそれを用いた画像記録装置を提供することを目的とする。
【課題を解決するための手段】
【００１４】
本発明は、入力された画像データの形態情報と出力すべき画像データの形態情報に基づいて２Ｄ又は３Ｄを３Ｄ又は２Ｄの画像に変換する画像変換手段と、前記出力画像形態情報に基づいて、入力画像データを前記変換手段に出力するか、そのまま変換せずに出力するかを切り換える出力切換手段とを備えたことを特徴とする画像変換装置である。
【００１５】
この画像変換装置は、前記入力画像形態情報を含む情報を作成する情報作成手段と、前記情報作成手段で作成した情報と前記出力画像データを多重化する多重化手段とを備えたことを特徴とする。
【００１６】
この画像変換装置は、前記出力画像形態情報を含む情報を作成する情報作成手段と、前記情報作成手段で作成した情報と前記出力画像データを多重化する多重化手段とを備えたことを特徴とする。
【００１７】
ここで、前記多重化手段は、前記情報作成手段により作成した情報をヘッダ部に書き込むことを特徴とする。
【００１８】
また、本発明は、前記画像変換装置から出力した画像を記録媒体に記録することを特徴とする。この記録媒体は、例えば、ＣＤ−Ｒ、ＤＶＤ−Ｒのような光記録媒体、ハードディスク、メモリカード、紙等である。
【発明の効果】
【００１９】
以上、説明したように本発明によれば、ユーザの選択した出力画像の情報に基づいて、自動的に入力画像を変換するので、ユーザの所望の画像が簡単に得られる。また、その出力画像には、入力及び出力画像の形態情報が付加されているので、変換のデータ経緯がわかり、変換後の画像を補正処理する場合にも、より的確な処理が可能となる。
【発明を実施するための最良の形態】
【００２０】
以下、本発明の実施の形態について、添付図面を参照しながら説明する。
【００２１】
図１は本発明に係る２Ｄ／３Ｄ静止画キャプチャ装置の一実施形態を示すブロック図である。この画像変換装置である２Ｄ／３Ｄ静止画キャプチャ装置は、３Ｄ動画データを画像変換手段１２と、静止画キャプチャ手段１３のいずれに出力するかを切り換えるスイッチ１１、３Ｄ動画を２Ｄ動画に変換する画像変換手段１２、２Ｄ動画又は３Ｄ動画から静止画をキャプチャする静止画キャプチャ手段１３と、画像データを符号化するエンコーダ１４、ヘッダ情報や、管理情報、付加情報などを作成する情報作成手段１５、静止画像データと情報作成手段１５により作成した情報を多重化する多重化手段１６を備えている。
【００２２】
スイッチ１１は、出力画像の形態情報である出力選択情報（２Ｄ静止画／３Ｄ静止画／ＯＦＦ）に基づいて、入力された３Ｄ動画データを画像変換手段１２に出力するか、静止画キャプチャ手段１３に出力するか、或いは出力をＯＦＦにするかを切り換える。ここで、出力選択情報は、ユーザがどの形式の画像（２Ｄ／３Ｄの静止画もしくは動画、あるいは出力をＯＦＦ）を出力したいかを選択した情報であり、外部からユーザがキーボードやマウス等を用いて入力したものである。
【００２３】
画像変換手段１２は、入力フォーマット情報（３Ｄ動画フォーマット情報）、出力選択情報、及び出力フォーマット情報に基づいて、３Ｄ動画データを２Ｄ動画データに変換する。
表１に、入力および出力フォーマット情報として使用する各フォーマット情報名称とフォーマット情報に含まれる情報の種別を示す。
【００２４】
【表１】
2005184377.tif 000003
【００２５】
３Ｄ動画フォーマット情報は、３Ｄ動画のフォーマット情報であり、既存動画ヘッダ情報と３Ｄ制御情報を含んだものである。
また、２Ｄ動画フォーマット情報は、２Ｄ動画のフォーマット情報であり、既存動画ヘッダ情報を含んだものである。
また、３Ｄ静止画フォーマット情報は、３Ｄ静止画のフォーマット情報であり、既存静止画ヘッダ情報と３Ｄ制御情報を含んだものである。
また、２Ｄ静止画フォーマット情報は、２Ｄ静止画のフォーマット情報であり、既存静止画ヘッダ情報を含んだものである。
ここで、既存動画ヘッダ情報とは、既存の２Ｄの動画のヘッダ情報と同じものであり、３Ｄ画像の表示や、その制御以外の情報である。
【００２６】
出力するデータがＭＰＥＧ（Ｍｏｖｉｎｇ  Ｐｉｃｔｕｒｅ  Ｅｘｐｅｒｔｓ  Ｇｒｏｕｐ）−４などの圧縮画像データである場合、例えば、既存動画ヘッダ情報は、ＭＰＥＧ−４におけるヘッダ情報はＶｉｓｕａｌ  Ｏｂｊｅｃｔ  ＳｅｑｕｅｎｃｅとおよびＶｉｄｅｏ  Ｏｂｊｅｃｔ  Ｌａｙｅｒ、またはＶｉｄｅｏ  Ｏｂｊｅｃｔ  Ｌａｙｅｒを指す。これ以外に圧縮画像データには、ＭＰＥＧ−１、ＭＰＥＧ−２、ＡＶＣ（Ａｄｖａｎｃｅｄ  Ｖｉｄｅｏ  Ｃｏｄｉｎｇ）などがあり、既存動画ヘッダ情報は、それらの動画圧縮データのヘッダ情報であっても構わない。
また、出力するデータがＡＶＩ（Ａｕｄｉｏ  Ｖｉｄｅｏ  Ｉｎｔｅｒｌｅａｖｅｄ）フォーマットのようなＰＣの動画ファイルのフォーマットである場合、既存動画ヘッダ情報は、ＡＶＩフォーマット、ＡＳＦ（Ａｄｖａｎｃｅ  Ｓｙｔｅｍｓ  Ｆｏｒｍａｔ）フォーマットのヘッダを指す。
【００２７】
また、既存静止画ヘッダ情報とは、既存の２Ｄの静止画のヘッダ情報と同じものであり、３Ｄ画像の表示や、その制御以外の情報である。例えば、ＪＰＥＧ（Ｊｏｉｎｔ  Ｐｉｃｔｕｒｅ  Ｅｘｐｅｒｔｓ  Ｇｒｏｕｐ）の場合、既存静止画ヘッダ情報はアプリケーションデータセグメントを含む。
また、３Ｄ制御情報とは、３Ｄ画像であることを識別するための３Ｄ識別情報、縮小の有無、結合の有無、画像の配置順および配置方法等の３Ｄ画像の表示や、その制御に関する情報をフォーマット化したものである。
【００２８】
このとき、入力フォーマット情報である３Ｄ動画フォーマット情報は、例えば、上記の３Ｄ制御情報や、画像サイズ等の既存動画ヘッダ情報を含んで構成されている。
出力フォーマット情報は、２Ｄ／３Ｄ静止画キャプチャ装置１０の出力画像のフォーマット情報であり、２Ｄ静止画の場合は、２Ｄ静止画フォーマット情報と、３Ｄ動画からどのように２Ｄ画像に変換するかを示す画像変換情報等の情報であり、３Ｄ静止画の場合は、３Ｄ静止画フォーマット情報である。表２に、２Ｄ／３Ｄ静止画キャプチャ装置１０における、各入出力フォーマット情報とフォーマット情報に含まれる情報についてまとめる。
【００２９】
【表２】
2005184377.tif 000004
【００３０】
上記の出力フォーマット情報は、２Ｄ／３Ｄ静止画キャプチャ装置１０内にあらかじめ設定されていてもよいし、この２Ｄ／３Ｄ静止画キャプチャ装置１０を用いている画像記録装置（例えばビデオカメラ等）にあらかじめ設定された情報であり、この２Ｄ／３Ｄ静止画キャプチャ装置１０に出力フォーマット情報として入力してもよい。
【００３１】
例えば、出力選択情報が２Ｄの場合、入力フォーマット情報に含まれる３Ｄ動画フォーマット情報から、図１８（ｃ）で示したような左目用と右目用の視点の画像がそれぞれ水平に２分の１に間引きされ、かつ水平に並ぶように配置された画像からなる動画フォーマットの情報が得られ、出力フォーマット情報に含まれる画像変換情報から、左目用の画像に対してアスペクト比が正しくなるように水平に２倍に拡大した画像を用いて２Ｄ動画を作成する情報が得られれば、画像変換手段１２はそのように変換を行う。
【００３２】
静止画キャプチャ手段１３は、出力フォーマット情報に基づいて、画像変換手段１２により変換された２Ｄ動画や無変換の３Ｄ動画から静止画をキャプチャしエンコーダ１４に出力する。エンコーダ１４は、キャプチャされた静止画を符号化し、多重化手段１６に出力する。
【００３３】
情報作成手段１５は、入力フォーマット情報と出力フォーマット情報から、ヘッダ情報と、入力と出力の画像形態情報および管理情報のそれぞれ、または任意の組み合わせを所定のフォーマットに変換した少なくとも１つ以上の付加情報を作成する。入力と出力の画像形態情報および管理情報、ヘッダ情報、付加情報については後述する。
【００３４】
ここで、情報作成手段１５について説明する。図５は、情報作成手段１５の構成を示すブロック図である。情報作成手段１５は、ヘッダ情報作成手段１７と付加情報作成手段１８から構成されており、各作成手段に入力された、入力フォーマット情報に含まれる３Ｄ動画フォーマット情報と出力フォーマット情報から、ヘッダ情報作成手段１７でヘッダ情報が、付加情報作成手段１８で付加情報がそれぞれ作成され、多重化手段１６に出力される。
【００３５】
次に、多重化手段１６で多重化した静止画データのフォーマットの例と、ヘッダ情報、付加情報、入力と出力の画像形態情報、管理情報のそれぞれについて、図２から図４を用いて詳細に説明する。図２は、出力選択情報が２Ｄであり、かつ入力と出力の画像形態情報および管理情報を付加情報とした場合の、多重化手段１６で多重化した静止画データのフォーマット例である。静止画データは、ヘッダ情報と１つの付加情報と出力画像データから構成されている。ここで、ヘッダ情報とは、エンコーダ１４で符号化された画像データを復号するのに必要なヘッダ情報であり、既存の形式の２Ｄの画像データのヘッダ情報と同じもの（既存静止画ヘッダ情報）である。
【００３６】
次に、付加情報について説明する。図２に示すように、付加情報のフォーマットは、その付加情報内に格納されている格納情報を識別するための記述子Ｄ１と、入力と出力の画像形態情報および管理情報の格納情報から構成されている。また、図２は出力選択情報が２Ｄの場合についての説明であるが、出力選択情報が３Ｄの場合であっても表３に示すように、入力と出力の画像形態情報および管理情報の内容を変更するだけである。表３は、２Ｄ／３Ｄ静止画キャプチャ装置１０における、１つの付加情報に含まれる入力と出力の画像形態情報および管理情報についてまとめたものである。
【００３７】
【表３】
2005184377.tif 000005
【００３８】
入力画像形態情報とは、入力フォーマット情報に含まれる３Ｄ動画フォーマット情報である。出力画像形態情報とは、出力フォーマット情報に含まれる情報であり、出力選択情報が、２Ｄの場合は２Ｄ静止画フォーマット情報であり、３Ｄの場合は３Ｄ静止画フォーマット情報である。管理情報とは、作成日や作成者などといった画像データと直接関係ない情報を指し、これらの情報は、変換を行なう前の状態や、変換をした日付やデータの作成者など主に編集に使う際に有効な情報である。また出力選択情報が２Ｄの場合、管理情報は出力フォーマット情報に含まれる画像変換情報も含む。例えば、入力画像データが３Ｄ動画であり、かつ出力画像データが２Ｄ静止画である場合、このときの出力画像データを取り扱う装置は、管理情報に含まれる画像変換情報から、その旨や変換方法に関する情報が得られる。例えば画像変換手段１２で説明したように、３Ｄ動画データを水平方向の拡大などの補間により作成したデータであることがわかるため、このような出力画像データを表示する際には、画質を改善するためのフィルタ処理などを表示の際に行なうことができる。
【００３９】
出力画像データの復号に必要のある情報はヘッダ情報と出力画像データのみであり、入力と出力の画像形態情報および管理情報は必要がない。よって、前述したように復号に不要な情報を付加情報として、復号に必要な情報と分けた構成のフォーマットにすることにより、仮に付加情報を解読できない場合であっても少なくとも画像を復号することができる。また、出力画像データに含まれるヘッダ情報と出力画像データは、既存の画像フォーマットのデータであるため、従来の画像データとの互換性が非常に高くなる。
【００４０】
多重化手段１６は、図２に示すように、付加情報とヘッダ情報とエンコーダ１４からの画像データを多重化して出力する。出力先には、ＩＣメモリや光磁気ディスク、磁気テープ、ハードディスクなどの記録デバイスや、ＬＡＮやモデムなどの通信デバイスが接続される。
【００４１】
また上記では、入力と出力の画像形態情報および管理情報を１つの付加情報として格納することについて説明したが、付加情報は１つでなくともよく、入力と出力の画像形態情報、および管理情報の３種類の情報のそれぞれに対して、または入力と出力の画像形態情報で１つ、管理情報で１つなどというように任意の組み合わせに対して、異なる記述子を定義して、それぞれ別の付加情報として格納しても構わない。
【００４２】
この場合の静止画データのフォーマット例について説明する。図３は、入力と出力の画像形態情報および管理情報のそれぞれを付加情報とした場合の、多重化手段１６で多重化した静止画データのフォーマット例である。図３において、ヘッダ情報と出力画像データは図２において説明したものと同じデータであるため、その説明は略す。この例のフォーマットでは、入力と出力の画像形態情報および管理情報のそれぞれが３つの付加情報として含まれる。入力画像形態情報は、記述子Ｄ２と、格納情報である入力の際の３Ｄ動画フォーマットから、出力画像形態情報は、記述子Ｄ３と、格納情報である出力の際の３Ｄ動画フォーマットから、管理情報は、記述子Ｄ４と、格納情報である作成日や作成者などといった画像データと直接関係ない情報から、それぞれ構成されている。以上のように構成することにより、入力と出力の画像形態情報や管理情報のそれぞれに対して、またはそれらの任意の組み合わせに対して、異なる記述子を定義して、それぞれ別の付加情報として格納、記録することができる。
【００４３】
また、上記では、入力と出力の画像形態情報および管理情報を、付加情報として格納するフォーマットについて説明したが、既存の形式に用意されているヘッダを拡張する仕組みを用いて、それらの情報を拡張ヘッダと呼ばれるヘッダの拡張領域に格納しても構わない。
【００４４】
この場合の情報作成手段１５について詳細に説明する。図６は、情報作成手段１５の他の構成を示すブロック図である。情報作成手段１５は、ヘッダ情報作成手段１９から構成されており、入力フォーマット情報に含まれる３Ｄ動画フォーマット情報と出力フォーマット情報から、ヘッダ情報作成手段１９で拡張ヘッダを含むヘッダ情報が作成され、多重化手段１６に出力される。多重化手段１６は、図４に示すように、拡張ヘッダを含むヘッダ情報とエンコーダ１４からの画像データを多重化して出力する。
【００４５】
図４は、入力と出力の画像形態情報および管理情報のそれぞれを拡張ヘッダに格納した場合の、多重化手段１６で多重化した静止画データのフォーマット例である。図４において、出力画像データや、入力と出力の画像形態情報、管理情報は図２において説明したものと同じデータであるため、その説明は略す。ヘッダ情報は既存のヘッダと拡張ヘッダから構成されることになる。拡張ヘッダには、入力と出力の画像形態情報と管理情報が格納、記録される。このように拡張ヘッダを使用することにより、付加情報の場合と同様、出力データを既存のデータのフォーマットと互換性のとれたものにできる。
【００４６】
また、上記で説明したいずれのフォーマットにおいても、入力画像形態情報や、管理情報は、編集の目的や、表示の際の画質の改善のために使われるが、出力画像データ自体の復号や、復号画像の３Ｄ表示やその制御等に使用されない。
よって、入力画像形態情報や管理情報のそれぞれ、もしくはそれらの情報の一部を、各フォーマット情報から必要に応じて少なくとも１つ以上省略して、付加情報とヘッダ情報、もしくは拡張ヘッダを含むヘッダ情報を情報作成手段１５で作成し、多重化手段１６で多重化してもよい。例えば、入力画像形態情報や、管理情報自体を省略してもよいし、管理情報内の、作成日や作成者などの画像データと直接関係ない情報を省略してもよいし、出力選択情報が２Ｄの場合の管理情報に含まれる画像変換情報を省略してもよい。また、上記の入力画像形態情報として、３Ｄ動画フォーマット情報に含まれる３Ｄ制御情報のうち、３Ｄの画像データであることを示す３Ｄ識別情報のみを記録するようにしても構わない。
【００４７】
またさらに、出力画像形態情報に対しても、ヘッダ情報と重複する情報がある場合、出力画像形態情報から重複する情報を省略してもかまわない。例えば、出力画像形態情報の２Ｄ静止画フォーマット情報や３Ｄ静止画フォーマット情報には、既存静止画ヘッダ情報が含まれており、この既存静止画ヘッダ情報とヘッダ部のヘッダ情報とが重複する情報である場合は、既存静止画ヘッダ情報を省略してもかまわない。このとき、２Ｄ静止画フォーマット情報ならそれ自体が省略でき、３Ｄ静止画フォーマット情報なら、３Ｄ制御情報のみがその構成要素となる。
表４は、入力と出力の画像形態情報及び管理情報内で省略可能な情報についてまとめたものである。
【００４８】
【表４】
2005184377.tif 000006
【００４９】
図２の付加情報に対し、上記のように省略した場合の例について、図１９、図２０を用いて説明する。図１９は、出力選択情報が２Ｄの場合の付加情報を省略した静止画データのフォーマット例である。このときの付加情報は、出力画像形態情報と管理情報は省略し、入力画像形態情報は、３Ｄ動画フォーマット情報内の３Ｄ制御情報のうち、３Ｄの画像データであることを示す３Ｄ識別情報を除き、省略する。また、図２０は、出力選択情報が３Ｄの場合の付加情報を省略した静止画データのフォーマット例である。このときの付加情報は、入力画像形態情報と管理情報は省略し、出力画像形態情報は、３Ｄ動画フォーマット情報内の３Ｄ制御情報を除き、省略する。
【００５０】
以上のように、入力と出力の画像形態情報及び管理情報もしくはその一部を省略することにより、重複した情報や表示に使わない情報を記録しないため、データ量の削減が可能となる。
【００５１】
また、上記で説明した付加情報の記述子として、例えばＪＰＥＧではアプリケーションマーカーを用いてもよい。また、入力と出力の画像形態情報や管理情報を、付加情報や、拡張ヘッダとして格納せずに、まったく別のデータとして出力しても構わない。
【００５２】
上記の付加情報や拡張ヘッダに含む入力と出力の画像形態情報や管理情報は、出力画像データが静止画データの場合について説明したが、動画データの場合であっても同じように適用できる。次に、図７から図９を使って本発明に係る２Ｄ／３Ｄ動画キャプチャ装置について説明する。
【００５３】
図７は、本発明に係る２Ｄ／３Ｄ動画キャプチャ装置の一実施形態を示すブロック図である。
図７の画像変換装置である２Ｄ／３Ｄ動画キャプチャ装置３０は、３Ｄ動画データを入力とし、２Ｄ動画データもしくは３Ｄ動画データに変換する装置である。その構成は、図１で説明した２Ｄ／３Ｄ静止画キャプチャ装置から、静止画キャプチャ手段１３を外し、エンコーダ１４、情報作成手段１５、多重化手段１６のそれぞれを、入力された動画データを符号化する動画用のエンコーダ３２、出力する動画データの、ヘッダ情報と付加情報、もしくは拡張ヘッダを持つヘッダ情報を作成する情報作成手段３３、動画データとヘッダ情報、付加情報を多重化する、もしくは動画データと拡張ヘッダを持つヘッダ情報を多重化する多重化手段３４に置き換え、かつ、出力を圧縮した動画データにするか、未圧縮の動画データにするかを指定するエンコード情報に従い、動画データをエンコーダ３２と多重化手段３４のいずれに出力するかを切り換えるスイッチ３１を備えたものである。よって、スイッチ１１、画像変換手段１２は同じものであり、番号も同じものとして、その説明は省略する。
【００５４】
ここで、入力フォーマット情報、出力選択情報、３Ｄ動画は、図１で説明したものと同様であり、その説明は省略する。このときの出力フォーマット情報は、２Ｄ／３Ｄ動画キャプチャ装置３０の出力画像のフォーマット情報であり、２Ｄ動画の場合は、２Ｄ動画フォーマット情報と、３Ｄ動画からどのように２Ｄ動画に変換するかを示す画像変換情報等の情報であり、３Ｄ動画の場合は、３Ｄ動画フォーマット情報である。表５に、２Ｄ／３Ｄ動画キャプチャ装置３０における、出力フォーマット情報とそれに含まれる情報についてまとめる。
【００５５】
【表５】
2005184377.tif 000007
【００５６】
上記の出力フォーマット情報は、２Ｄ／３Ｄ動画キャプチャ装置３０内にあらかじめ設定されていてもよいし、この２Ｄ／３Ｄ動画キャプチャ装置３０を用いている画像記録装置（例えばビデオカメラ等）にあらかじめ設定された情報であり、この２Ｄ／３Ｄ動画キャプチャ装置３０に出力フォーマット情報として入力してもよい。また、出力フォーマット情報に含まれる画像変換情報は、２Ｄ／３Ｄ静止画キャプチャ装置１０の説明のときのものと同じ情報である。
【００５７】
２Ｄ／３Ｄ動画キャプチャ装置３０は、出力選択情報に基づいてスイッチ１１を切り替え、出力フォーマット情報に基づいて、画像変換手段１２により変換された２Ｄ動画データや無変換の３Ｄ動画データをスイッチ３１に出力する。２Ｄ／３Ｄ動画キャプチャ装置３０は、エンコード情報に基づいてスイッチ３１を切り替え、スイッチ３１に入力された動画データをエンコーダ３２と多重化手段１６のいずれかに出力する。エンコード情報が出力を圧縮した動画データにすることを指示する情報である場合は、動画データをエンコーダ３２に出力する。エンコーダ３２は、入力された動画データを符号化し、多重化手段１６に出力する。また、エンコード情報が出力を圧縮した動画データにすることを指示する情報である場合は、エンコードせずに未圧縮の動画データを多重化手段１６に出力する。
【００５８】
情報作成手段３３は、入力フォーマット情報と出力フォーマット情報から、ヘッダ情報と、入力と出力の画像形態情報および管理情報のそれぞれ、または任意の組み合わせを所定のフォーマットに変換した少なくとも１つ以上の付加情報を作成する。このときの入力画像形態情報および管理情報は、表３で説明したものと同じである。また、出力画像形態情報は、表６に示すように静止画から動画のフォーマット情報に変わっただけである。またヘッダ情報も、既存静止画ヘッダ情報から既存動画ヘッダ情報に変わっただけである。また、入力と出力の画像形態情報および管理情報を付加情報や、拡張ヘッダを用いて動画データに格納する際の方法や、そのときの付加情報や、拡張ヘッダの構造は、２Ｄ／３Ｄ静止画キャプチャ装置１０で説明したときのものと同じである。
【００５９】
【表６】
2005184377.tif 000008
【００６０】
ここで、情報作成手段３３の動作について説明する。
まず、入力と出力の画像形態情報および管理情報を付加情報に格納する場合において説明する。図８は、付加情報に格納する場合の情報作成手段３３の構成を示すブロック図である。情報作成手段３３は、ヘッダ情報作成手段３５と付加情報作成手段３６から構成されており、各作成手段に入力された、入力フォーマット情報に含まれる３Ｄ動画フォーマット情報と出力フォーマット情報から、ヘッダ情報作成手段３５でヘッダ情報が、付加情報作成手段３６で付加情報がそれぞれ作成され、多重化手段１６に出力される。多重化手段１６は、図２、図３で説明したのと同じように、少なくとも１つ以上の付加情報とヘッダ情報とエンコーダ１４からの画像データを多重化して出力する。
【００６１】
次に、入力と出力の画像形態情報および管理情報を拡張ヘッダに格納する場合において説明する。図９は、拡張ヘッダに格納する場合の情報作成手段３３の構成を示すブロック図である。情報作成手段１５は、ヘッダ情報作成手段３７から構成されており、入力フォーマット情報に含まれる３Ｄ動画フォーマット情報と出力フォーマット情報から、ヘッダ情報作成手段３７で拡張ヘッダを含むヘッダ情報が作成され、多重化手段１６に出力される。多重化手段１６は、図４で説明したのと同じように、拡張ヘッダをもつヘッダ情報とエンコーダ１４からの画像データを多重化して出力する。
【００６２】
また、２Ｄ／３Ｄ静止画キャプチャ装置１０のときに説明したときと同様、入力画像形態情報や、管理情報は、各フォーマットから必要に応じて少なくとも１つ以上省略し、記録しなくてもよいし、入力画像形態情報として３Ｄ識別情報のみを記録してもよい。
【００６３】
また、図１で説明した２Ｄ／３Ｄ静止画キャプチャ装置１０と、図７で説明した２Ｄ／３Ｄ動画キャプチャ装置３０における画像変換手段１２は、入力の３Ｄ動画データを２Ｄ動画データに変換して出力しているが、変換した３Ｄ動画データを出力してもよい。このとき、入力に対して、入力の３Ｄ動画データの視点数より少ない視点数の出力の３Ｄ動画データに変換して出力する。
【００６４】
図２１は、この場合の２Ｄ／３Ｄ静止画キャプチャ装置１０の別の構成例である。ここで、静止画キャプチャ手段１３と、エンコーダ１４、情報作成手段１５、多重化手段１６は、図１で説明したものと同じものであり、番号も同じものとして、以下では、その説明及び動作は省略する。また、図１で説明した出力選択情報が２Ｄ／３Ｄ／ＯＦＦの３種類であったのを、２Ｄ／３Ｄ／変換３Ｄ／ＯＦＦの４種類に変更する。２Ｄ／３Ｄ静止画キャプチャ装置１０は、静止画キャプチャ手段１３と、エンコーダ１４、情報作成手段１５、多重化手段１６以外に、入力された３Ｄ動画を、画像変換手段１０１か、静止画キャプチャ手段１３のいずれかに切り替えて出力するスイッチ１００と、入力の３Ｄ動画を変換して、出力選択情報が２Ｄのときは２Ｄ動画を、変換３Ｄのときは変換された３Ｄ動画を、それぞれ出力する画像変換手段１０１から構成されている。
【００６５】
次に、この場合の２Ｄ／３Ｄ静止画キャプチャ装置１０の動作について説明する。ここで、２Ｄ／３Ｄ静止画キャプチャ装置１０は、出力選択情報が変換３Ｄ以外の場合、図１で説明したときと同じ動作をする。
【００６６】
出力選択情報が変換３Ｄの場合について説明する。例えば、入力の３Ｄ動画データがＮ視点（Ｎは３以上の整数）のデータである場合、そこからＭ視点（Ｍは２以上の整数かつ、Ｎ＞Ｍとする）の３Ｄ動画データを出力する場合、スイッチ１００は、入力の３Ｄ動画が画像変換手段１０１に入力されるように切り替えられる。画像変換手段１０１は、出力画像フォーマット情報に含まれる画像変換情報に沿って、入力のＮ視点の動画をＭ視点の３Ｄ動画に変換し、静止画キャプチャ手段１３に出力する。このようにして、入力の３Ｄ動画から変換された３Ｄ動画を静止画キャプチャ手段１３でキャプチャを行い、３Ｄ静止画を生成、出力することができる。
【００６７】
図２２は、この場合の２Ｄ／３Ｄ動画キャプチャ装置３０の別の構成である。ここで、エンコーダ３２、情報作成手段３３、多重化手段３４は、図７で説明したものと、また、スイッチ１００と画像変換手段１０１は、図２１で説明したものとそれぞれ同じものであり、番号も同じものとして、その説明及び動作は省略する。さらに、出力選択情報も、図２１で説明した場合と同様、２Ｄ／３Ｄ／変換３Ｄ／ＯＦＦの４種類に変更する。２Ｄ／３Ｄ動画キャプチャ装置３０は、エンコーダ３２、情報作成手段３３、多重化手段３４、スイッチ１００と画像変換手段１０１以外に、入力された３Ｄ動画を、エンコーダ３２か、多重化手段３４のいずれかに切り替えて出力するスイッチ１０２から構成されている。
【００６８】
次に、この場合の２Ｄ／３Ｄ動画キャプチャ装置３０の動作について説明する。ここで、２Ｄ／３Ｄ動画キャプチャ装置３０は、出力選択情報が変換３Ｄ以外の場合、図７で説明したときと同じ動作をする。
【００６９】
次に出力選択情報が変換３Ｄの場合について説明する。例えば、入力の３Ｄ動画データがＮ視点（Ｎは３以上の整数）のデータである場合、そこからＭ視点（Ｍは２以上の整数かつ、Ｎ＞Ｍとする）の３Ｄ動画データを出力する場合、図２１で説明したように、スイッチ１００は、入力の３Ｄ動画が画像変換手段１０１に入力されるように切り替えられる。画像変換手段１０１は、出力画像フォーマット情報に含まれる画像変換情報に沿って、入力のＮ視点の動画をＭ視点の３Ｄ動画に変換し、静止画キャプチャ手段１３に出力する。画像変換情報が変換３Ｄの場合、スイッチ１０２は、入力された３Ｄ動画をエンコーダ３２出力するように切り替えられる。このようにして、入力の３Ｄ動画から変換された３Ｄ動画を生成し、出力することができる。
【００７０】
図１０は、図１の２Ｄ／３Ｄ静止画キャプチャ装置と図７の２Ｄ／３Ｄ動画キャプチャ装置を用いた画像記録装置を示すブロック図である。この画像記録装置４０は、２Ｄ／３Ｄ静止画キャプチャ装置１０、２Ｄ／３Ｄ動画キャプチャ装置３０から構成される。
【００７１】
例えば、この画像記録装置４０にカメラからの入力として３Ｄの動画データが入力された場合、２Ｄ／３Ｄ動画キャプチャ装置３０は、図７で説明したように、外部入力１、２から入力された各情報にしたがって、３Ｄの動画データからキャプチャした動画データを出力する。このときの動画データには圧縮データと未圧縮データを含む。また、２Ｄ／３Ｄ静止画キャプチャ装置１０は、図１で説明したように、外部入力２、３から入力された各情報にしたがって、３Ｄの動画データからキャプチャした静止画データを出力する。２Ｄ／３Ｄ動画キャプチャ装置３０の動画データはビデオテープやＤＶＤ−ＲＡＭ等に記録し、２Ｄ／３Ｄ静止画キャプチャ装置１０の静止画データは、メモリカード等に記録する。
【００７２】
図１１は、図１の２Ｄ／３Ｄ静止画キャプチャ装置と図７の２Ｄ／３Ｄ動画キャプチャ装置を用いた画像記録装置の他の例を示すブロック図である。この画像記録装置５０は、例えば画像記録装置４０で記録された記録媒体から画像データを読み出して静止画のキャプチャ処理や動画の再キャプチャ処理することを目的とするものであり、２Ｄ／３Ｄ静止画キャプチャ装置１０、２Ｄ／３Ｄ動画キャプチャ装置３０、分離手段５１、デコーダ５３から構成される。分離手段５１は、入力された３Ｄ動画データから３Ｄ動画フォーマット情報と画像データを分離する。３Ｄ動画フォーマット情報は、２Ｄ／３Ｄ動画キャプチャ装置３０と２Ｄ／３Ｄ静止画キャプチャ装置１０とスイッチ５２に入力する。また、画像データはスイッチ５２に入力する。スイッチ５２は、３Ｄ動画フォーマット情報に基づいて、３Ｄ動画データを２Ｄ／３Ｄ動画キャプチャ装置３０と２Ｄ／３Ｄ静止画キャプチャ装置１０に出力するか、デコーダ５３に出力するかを切り替える。デコーダ５３は、入力された画像データから動画データを復号する。
【００７３】
２Ｄ／３Ｄ動画キャプチャ装置３０には、さらに外部入力１からの出力フォーマット情報、出力選択情報と、３Ｄ動画データが入力され、出力選択情報に基づいた所望の動画データが出力される。また、２Ｄ／３Ｄ静止画キャプチャ装置１０には、さらに外部入力２より出力フォーマット情報、出力選択情報が入力され、出力選択情報に基づいた所望の静止画データが出力される。
【００７４】
図１２は、他の２Ｄ／３Ｄ静止画キャプチャ装置を示すブロック図である。この２Ｄ／３Ｄ静止画キャプチャ装置６０は、図１とは異なり、入力された２Ｄ動画を３Ｄ静止画にキャプチャする装置である。
【００７５】
ここで、静止画キャプチャ手段と、エンコーダ、情報作成手段、多重化手段は、図１の各手段と同じ手段であり、同じ番号をつけるとし、その説明は省略する。
スイッチ６１は、ユーザが選択した出力選択情報（２Ｄ静止画／３Ｄ静止画／ＯＦＦ）に基づいて、２Ｄ動画データを画像変換手段６２に出力するか、静止画キャプチャ手段１３に出力するか、或いは出力をＯＦＦにするかを切り換える。画像変換手段６２は、２Ｄ動画フォーマット情報と３Ｄ静止画の出力フォーマット情報に基づいて、２Ｄ動画を３Ｄ動画に変換する。このとき、２Ｄ動画フォーマット情報は入力された２Ｄ動画のフォーマット情報であり、既存動画ヘッダ情報である。また、３Ｄ静止画の出力フォーマット情報は、２Ｄ／３Ｄ静止画キャプチャ装置６０の出力画像のフォーマット情報であり、前述した既存静止画ヘッダ情報と３Ｄ制御情報である。図６に示した出力選択情報や、出力フォーマット情報は、ユーザが設定した情報を外部入力情報として、各手段に入力するものである。しかし、２Ｄ／３Ｄ静止画キャプチャ装置６０内にあらかじめ設定されていてもよいし、この２Ｄ／３Ｄ静止画キャプチャ装置６０を用いている画像記録装置（例えばビデオカメラ等）にあらかじめ設定された情報であり、この２Ｄ／３Ｄ静止画キャプチャ装置６０に出力フォーマット情報として入力してもよい。
【００７６】
画像変換手段６２は、入力フォーマット情報（２Ｄ動画フォーマット情報）及び出力フォーマット情報に基づいて、２Ｄ動画データを３Ｄ動画データに変換する。
このとき、入力フォーマット情報である２Ｄ動画フォーマット情報は、例えば画像サイズ等の既存動画ヘッダ情報である。出力フォーマット情報は、２Ｄ／３Ｄ静止画キャプチャ装置６０の出力画像のフォーマット情報であり、出力する静止画が、３Ｄ静止画の場合は、３Ｄ静止画フォーマット情報と、２Ｄ画像をどのように３Ｄ画像に変換するかを示す画像変換情報等の情報であり、２Ｄ静止画の場合は、２Ｄ静止画フォーマット情報である。表７に、２Ｄ／３Ｄ静止画キャプチャ装置６０における、各入出力フォーマット情報とフォーマット情報に含まれる情報についてまとめる。
【００７７】
【表７】
2005184377.tif 000009
【００７８】
上記の出力フォーマット情報は、２Ｄ／３Ｄ静止画キャプチャ装置６０内にあらかじめ設定されていてもよいし、この２Ｄ／３Ｄ静止画キャプチャ装置６０を用いている画像記録装置（例えばビデオカメラ等）にあらかじめ設定された情報であり、この２Ｄ／３Ｄ静止画キャプチャ装置６０に出力フォーマット情報として入力してもよい。
【００７９】
静止画キャプチャ手段１３は、出力フォーマット情報に基づいて、画像変換手段６２により変換された３Ｄ動画や無変換の２Ｄ動画から静止画をキャプチャしエンコーダ１４に出力する。エンコーダ１４は、キャプチャされた静止画を符号化し、多重化手段１６に出力する。
【００８０】
また、図２、図３、図４に示すように、情報作成手段１５は、ヘッダ情報、入力と出力の画像形態情報および管理情報をそれぞれ、もしくはまとめて所定のフォーマットに変換して多重化手段１６に出力する。
【００８１】
多重化手段１６は、図２、図３、図４に示すように、上記ヘッダ情報とエンコーダ４４からの画像データを多重化して出力する。出力先には、ＩＣメモリや光磁気ディスク、磁気テープ、ハードディスクなどの記録デバイスや、ＬＡＮやモデムなどの通信デバイスが接続される。
また、このとき画像変換情報は、画像の復号の際に必要がないので省略してもよい。
【００８２】
図１３は、他の２Ｄ／３Ｄ動画キャプチャ装置を示すブロック図である。この２Ｄ／３Ｄ動画キャプチャ装置７０は、図７とは異なり、入力された２Ｄ動画を３Ｄ動画にキャプチャする装置である。
【００８３】
図１３の、スイッチ３１及び、エンコーダ３２、情報作成手段３３、多重化手段３４は図７で説明した手段とそれぞれ同じ手段であるので同じ番号とし、その説明は省略する。ここで、スイッチ７１は、ユーザが選択した出力選択情報（２Ｄ静止画／３Ｄ静止画／ＯＦＦ）に基づいて、２Ｄ動画データを画像変換手段７２に出力するか、エンコーダ３２に出力するか、或いは出力をＯＦＦにするかを切り換える。画像変換手段７２は、２Ｄ動画フォーマット情報と３Ｄ動画の出力フォーマット情報に基づいて、２Ｄ動画を３Ｄ動画に変換する。入力フォーマット情報は図１２で説明したものと同じ情報であり、その説明は省略する。また、３Ｄ動画の出力フォーマット情報は、２Ｄ／３Ｄ動画キャプチャ装置７０の出力画像のフォーマット情報であり、既存動画ヘッダ情報と３Ｄ制御情報である。図１３に示した出力選択情報や、出力フォーマット情報は、ユーザが設定した情報を外部入力情報として、各手段に入力するものである。しかし、２Ｄ／３Ｄ動画キャプチャ装置７０内にあらかじめ設定されていてもよいし、この２Ｄ／３Ｄ動画キャプチャ装置７０を用いている画像記録装置（例えばビデオカメラ等）にあらかじめ設定された情報であり、この２Ｄ／３Ｄ動画キャプチャ装置７０に出力フォーマット情報として入力してもよい。
【００８４】
画像変換手段７２は、入力フォーマット情報（２Ｄ動画フォーマット情報）及び出力フォーマット情報に基づいて、２Ｄ動画データを３Ｄ動画データに変換する。
【００８５】
このとき、入力フォーマット情報は、図１２で説明したものと同じであり、その説明は省略する。出力フォーマット情報は、２Ｄ／３Ｄ動画キャプチャ装置７０の出力画像のフォーマット情報であり、出力する動画が、３Ｄ動画の場合は、３Ｄ動画フォーマット情報と、２Ｄ画像からどのように３Ｄ画像に変換するかを示す画像変換情報等の情報であり、２Ｄ動画の場合は、２Ｄ動画フォーマット情報である。表７に、２Ｄ／３Ｄ動画キャプチャ装置７０における、出力フォーマット情報とそれに含まれる情報についてまとめる。
【００８６】
【表８】
2005184377.tif 000010
【００８７】
上記の出力フォーマット情報は、２Ｄ／３Ｄ動画キャプチャ装置７０内にあらかじめ設定されていてもよいし、この２Ｄ／３Ｄ動画キャプチャ装置７０を用いている画像記録装置（例えばビデオカメラ等）にあらかじめ設定された情報であり、この２Ｄ／３Ｄ動画キャプチャ装置７０に出力フォーマット情報として入力してもよい。
【００８８】
２Ｄ／３Ｄ動画キャプチャ装置７０は、出力フォーマット情報に基づいて、画像変換手段６２により変換された２Ｄ動画データや無変換の３Ｄ動画データをスイッチ３１に出力し、エンコード情報に基づいてスイッチ３１を切り替え、それらの動画データをエンコーダ３２か、多重化手段３４に出力する。エンコーダ３２は、動画データを符号化し、多重化手段３４に出力する。
【００８９】
また、図２、図３、図４に示すように、情報作成手段３３は、ヘッダ情報、入力と出力の画像形態情報および管理情報をそれぞれ、もしくはまとめて所定のフォーマットに変換して多重化手段３４に出力する。
【００９０】
多重化手段３４は、図２、図３、図４に示すように、ヘッダ情報とエンコーダ３２からの画像データを多重化して出力する。出力先には、ＩＣメモリや光磁気ディスク、磁気テープ、ハードディスクなどの記録デバイスや、ＬＡＮやモデムなどの通信デバイスが接続される。
また、このとき画像変換情報は、画像の復号の際に必要がないので省略してもよい。
【００９１】
図１４は、図１２の２Ｄ／３Ｄ静止画キャプチャ装置と図１３の２Ｄ／３Ｄ動画キャプチャ装置を用いた画像記録装置を示すブロック図である。この画像記録装置８０は、２Ｄ／３Ｄ静止画キャプチャ装置６０、２Ｄ／３Ｄ動画キャプチャ装置７０から構成される。
【００９２】
例えば、この画像記録装置８０にカメラからの入力として２Ｄの動画データが入力された場合、２Ｄ／３Ｄ動画キャプチャ装置７０は、図１３で説明したように、外部入力１、２から入力された各情報にしたがって、２Ｄの動画データからキャプチャした動画データを出力する。このときの動画データには圧縮データと未圧縮データを含む。また、２Ｄ／３Ｄ静止画キャプチャ装置６０は、図１２で説明したように、外部入力２、３から入力された各情報にしたがって、２Ｄ動画データからキャプチャした静止画データを出力する。２Ｄ／３Ｄ動画キャプチャ装置７０の動画データはビデオテープやＤＶＤ−ＲＡＭ等に記録し、２Ｄ／３Ｄ静止画キャプチャ装置６０の静止画データは、メモリカード等に記録する。
【００９３】
図１５は、図１２の２Ｄ／３Ｄ静止画キャプチャ装置と図１３の２Ｄ／３Ｄ動画キャプチャ装置を用いた画像記録装置を示すブロック図である。この画像記録装置９０は、例えば既存の２Ｄ動画データを読み出して静止画のキャプチャ処理や動画の再キャプチャ処理することを目的とするものであり、２Ｄ／３Ｄ静止画キャプチャ装置６０、２Ｄ／３Ｄ動画キャプチャ装置７０、分離手段９１、スイッチ９２、デコーダ５３から構成される。ここでデコーダ３１は、図１１で説明したものと同じであるため、番号も同じものとする。
【００９４】
分離手段９１は、入力された２Ｄ動画データから２Ｄ動画フォーマット情報と画像データを分離する。２Ｄ動画フォーマット情報は、２Ｄ／３Ｄ動画キャプチャ装置７０と２Ｄ／３Ｄ静止画キャプチャ装置６０とスイッチ９２に入力する。また、画像データはスイッチ９２に入力する。スイッチ９２は、２Ｄ動画フォーマット情報に基づいて、２Ｄ動画データを２Ｄ／３Ｄ動画キャプチャ装置７０と２Ｄ／３Ｄ静止画キャプチャ装置６０に出力するか、デコーダ５３に出力するかを切り替える。デコーダ５３は、入力された画像データから動画データを復号する。２Ｄ／３Ｄ動画キャプチャ装置７０には、さらに外部入力１からの出力フォーマット情報、出力選択情報と、３Ｄ動画データがそれぞれ入力され、出力選択情報に基づいた所望の動画データが出力される。
また、２Ｄ／３Ｄ静止画キャプチャ装置６０には、さらに外部入力２より出力フォーマット情報、出力選択情報が入力され、出力選択情報に基づいた所望の静止画データが出力される。
【００９５】
尚、本発明は、上記した実施の形態に限定されるものではなく、本発明の要旨を逸脱しない範囲内において種々変更を加え得ることは勿論である。例えば、図１と図１２は２Ｄ／３Ｄ静止画キャプチャ装置１０，６０を示すものだが、静止画キャプチャ手段１３を取り除いて動画を出力する画像変換装置としてもよい。そして、これを出力する変換画像を記録する画像記録装置も考えられる。また、画像記録装置は、電子データを記録媒体（テープ、ＤＶＤ−Ｒ、メモリ等）に記録するものが記載されているが、記録媒体が紙であり、これにトナーやインク等で画像を記録するものでもよい。
【図面の簡単な説明】
【００９６】
【図１】本発明に係る２Ｄ／３Ｄ静止画キャプチャ装置の一実施形態を示すブロック図である。
【図２】多重化した静止画データのフォーマット例を示す説明図である。
【図３】多重化した静止画データのフォーマット例を示す説明図である。
【図４】多重化した静止画データのフォーマット例を示す説明図である。
【図５】情報作成手段１５の構成を示すブロック図である。
【図６】情報作成手段１５の他の構成を示すブロック図である。
【図７】本発明に係る２Ｄ／３Ｄ動画キャプチャ装置の一実施形態を示すブロック図である。
【図８】情報作成手段３３の構成を示すブロック図である。
【図９】情報作成手段３３の他の構成を示すブロック図である。
【図１０】図１の２Ｄ／３Ｄ静止画キャプチャ装置を用いた画像記録装置の一実施形態を示すブロック図である。
【図１１】図１の２Ｄ／３Ｄ静止画キャプチャ装置を用いた画像記録装置の他の実施形態を示すブロック図である。
【図１２】本発明に係る２Ｄ／３Ｄ静止画キャプチャ装置の他の実施形態を示すブロック図である。
【図１３】本発明に係る２Ｄ／３Ｄ動画キャプチャ装置の他の実施形態を示すブロック図である。
【図１４】図１２の２Ｄ／３Ｄ静止画キャプチャ装置を用いた画像記録装置の一実施形態を示すブロック図である。
【図１５】図１２の２Ｄ／３Ｄ静止画キャプチャ装置を用いた画像記録装置の他の実施形態を示すブロック図である。
【図１６】時分割方式における画像の表示形式を示す図である。
【図１７】パララクスバリア方式の概念を説明するための図である。
【図１８】パララクスバリア方式における画像の表示形式を説明するための図である。
【図１９】多重化した静止画データのフォーマット例を示す説明図である。
【図２０】多重化した静止画データのフォーマット例を示す説明図である。
【図２１】２Ｄ／３Ｄ静止画キャプチャ装置１０の別の構成を示す説明図である。
【図２２】２Ｄ／３Ｄ動画キャプチャ装置３０の別の構成を示す説明図である。
【符号の説明】
【００９７】
１０  ２Ｄ／３Ｄ静止画キャプチャ装置
１１  スイッチ
１２  画像変換手段
１３  静止画キャプチャ手段
１４  エンコーダ
１５  情報作成手段
１６  多重化手段
１７  ヘッダ情報作成手段
１８  付加情報作成手段
１９  ヘッダ情報作成手段
３０  ２Ｄ／３Ｄ動画キャプチャ装置
３１  スイッチ
３２  エンコーダ
３３  情報作成手段
３４  多重化手段
３５  ヘッダ情報作成手段
３６  付加情報作成手段
３７  ヘッダ情報作成手段
４０  画像記録装置
５０  画像記録装置
５１  分離手段
５２  スイッチ
５３  デコーダ
６０  ２Ｄ／３Ｄ静止画キャプチャ装置
６１  スイッチ
６２  画像変換手段
７０  ２Ｄ／３Ｄ動画キャプチャ装置
７１  スイッチ
７２  画像変換手段
８０  画像記録装置
９０  画像記録装置
９１  分離手段
９２  スイッチ
１００  スイッチ
１０１  画像変換手段
１０２  スイッチ
【図１】
2005184377.tif 000011
【図２】
2005184377.tif 000012
【図３】
2005184377.tif 000013
【図４】
2005184377.tif 000014
【図５】
2005184377.tif 000015
【図６】
2005184377.tif 000016
【図７】
2005184377.tif 000017
【図８】
2005184377.tif 000018
【図９】
2005184377.tif 000019
【図１０】
2005184377.tif 000020
【図１１】
2005184377.tif 000021
【図１２】
2005184377.tif 000022
【図１３】
2005184377.tif 000023
【図１４】
2005184377.tif 000024
【図１５】
2005184377.tif 000025
【図１６】
2005184377.tif 000026
【図１７】
2005184377.tif 000027
【図１８】
2005184377.tif 000028
【図１９】
2005184377.tif 000029
【図２０】
2005184377.tif 000030
【図２１】
2005184377.tif 000031
【図２２】
2005184377.tif 000032